(57)【要約】【課題】書換え範囲を指定し、指定した書換え範囲でスキャンによる書換えを行って所望のページを高速に検索可能とする表示装置及び該装置におけるページ書換え方法を提供する。【解決手段】ＬＣＤ表示器10はタッチパネル機能を備えており、ユーザーがＬＣＤ表示器10に対してタップ等の操作を行って入力を行う。表示制御部12は、データメモリ40内に格納された表示に関する動作情報、表示メモリに従い、画面表示を行う。入力制御部14は、ユーザーによるＬＣＤ表示器10への入力操作を受け付け、それを表示制御部12に伝え伝えて、入力内容を表示させるよう仕向ける。ＣＰＵ20は、プログラムメモリ30に格納されたプログラムおよびデータメモリ40に格納された動作定義ファイル、動作情報などに基づいて表示装置の全体を制御する。上位機器通信制御部50は、ＣＰＵ20が上位機器接続インタフェース(I/F)60を介して上位機器と連携する際に通信制御を行う。【選択図】図１
2011192065.tif 000002
【特許請求の範囲】
【請求項１】
表示画面をスキャンして表示画面の書換えを行う表示装置において、前記表示画面へのタップ操作によりページめくりモードに設定する手段と、該ページめくりモードに設定しているときに、前記表示画面の表示領域の画面端部からの位置を、前記表示画面にタッチした状態でスライドさせるスライド操作で指定することで書換え範囲を指定する手段と、該書換え範囲を指定する手段により指定した書換え範囲で表示画面の書換えを行う手段と、を備えることを特徴とする表示装置。
【請求項２】
前記表示画面の書換えを行う手段は、前記書換え範囲の変更に応じて、スキャン回数の変動を行うことを特徴とする請求項１に記載の表示装置。
【請求項３】
前記書換え範囲を指定する手段は、前記書換え範囲の変更に応じて、前記書換え範囲が初期書換え範囲を超える場合には、定義ファイルに定義された初期書換え範囲の最大値に指定することを特徴とする請求項１に記載の表示装置。
【請求項４】
表示画面をスキャンして表示画面の書換えを行う表示装置におけるページ書換え方法において、表示画面へのタップ操作によりページめくりモードに設定する過程、該ページめくりモードに設定しているときに、前記表示画面の表示領域の画面端部からの位置を、前記表示画面にタッチした状態でスライドさせるスライド操作で指定することで書換え範囲を指定する過程、および、指定した書換え範囲で表示画面の書換えを行う過程、を含むことを特徴とする表示装置におけるページ書換え方法。
【請求項５】
前記表示画面の書換えを行う過程は、前記書換え範囲の変更に応じて、スキャン回数の変動を行うことを特徴とする請求項４に記載の表示装置におけるページ書換え方法。
【請求項６】
前記書換え範囲を指定する過程は、前記書換え範囲の変更に応じて、前記書換え範囲が初期書換え範囲を超える場合には、定義ファイルに定義された初期書換え範囲の最大値に指定することを特徴とする請求項４に記載の表示装置におけるページ書換え方法。
【発明の詳細な説明】
【技術分野】
【０００１】
本発明は、スキャンを行うことにより書換えを行うような表示デバイスを持つ表示装置において、スキャン幅を変更することにより書換えを高速化しページ検索を効率的に行う表示装置及び該装置におけるページ書換え方法に関する。
【背景技術】
【０００２】
スキャンを行うことにより書換えを行うような表示デバイスを持つ表示装置の場合、従来においては、画面書換えを行う際、全画面のスキャンを行うようになっていたため、書換えに時間がかかっていた。したがって従来の表示装置において、多数のページより構成されるコンテンツから目的の（ユーザーが欲する）コンテンツを検索する（探し出す）のは、ページ書換えに時間を要することもあり、ユーザーが目的のコンテンツに到達するまでに我慢ができる限界を超えてしまい、使い勝手の悪いものになっていた。
【０００３】
下記特許文献１には、現表示ページ及び次表示ページの画像データを格納する表示準備用画像データ記憶部と、ページ切り替え期間中の特定の時刻に表示部に表示されるデータを記憶するページ切り替えデータ記憶部と、上記ページ切り替えデータの列情報を格納する列情報格納テーブルと該列情報から上記表示準備用画像データ記憶部のアドレス及び現表示ページ及び次表示ページの画像を選択する選択手段を含む表示切り替え制御部を備え、上記ページ切り替えデータの列情報を制御して列情報によりページ切り替えを行うことにより現表示ページ及び次表示ページの画像表示を柔軟に制御する技術が開示されている。
【０００４】
また下記特許文献２には、電子ブックにおいて、複数画面のそれぞれに表示部を持ち、そのうち一方の表示部の表示部分を３分割し、分割した一つの表示部分は書換えが不要にされ、それ以外の分割表示部分についてユーザーが表示変更を指示した場合には、その分割表示部分についてだけ次ページ用の表示に書換えて、表示部の全表示部分に書換えを行う場合より表示に要する転送時間を削減する技術が開示されている。
【先行技術文献】
【特許文献】
【０００５】
【特許文献１】特開平１１−１３４３５１号公報
【特許文献２】特開２００４−２３３６０３号公報（0056-0062、図８）
【発明の概要】
【発明が解決しようとする課題】
【０００６】
上記した特許文献１に開示された技術では、列情報から表示準備用画像データ記憶部のアドレス及び現表示ページ及び次表示ページの画像を選択する選択手段を含む表示切り替え制御部を備え、列情報によりページ切り替えを行うことにより現表示ページ及び次表示ページの画像表示を制御することで、現表示ページから次表示ページへのページめくりを滑らかに行うことができるものの、多数のページより構成されるコンテンツから目的の（ユーザーが欲する）コンテンツを迅速に検索することへの言及がなされていない。
【０００７】
さらに上記した特許文献２に開示された技術では、表示部分を３分割し、分割した画面上に変更点を設定しておいて、該変更点に対してのみ部分的にスキャンを行うことで書換えを行って書換え表示に要する転送時間を削減しているが、この技術も多数のページより構成されるコンテンツから目的の（ユーザーが欲する）コンテンツを迅速に検索することについて何も触れていない。
【０００８】
上記した課題を解決するために、本発明は、書換え範囲を指定し、指定した書換え範囲でスキャンによる書換えを行って所望のページを高速に検索可能とする表示装置及び該装置におけるページ書換え方法を提供することを目的とする。
【課題を解決するための手段】
【０００９】
本発明は、表示画面をスキャンして表示画面の書換えを行う表示装置において、前記表示画面へのタップ操作によりページめくりモードに設定する手段と、該ページめくりモードに設定しているときに、前記表示画面の表示領域の画面端部からの位置を、前記表示画面にタッチした状態でスライドさせるスライド操作で指定することで書換え範囲を指定する手段と、該書換え範囲を指定する手段により指定した書換え範囲で表示画面の書換えを行う手段と、を備えることを特徴とする。
【００１０】
また本発明は、表示画面をスキャンして表示画面の書換えを行う表示装置におけるページ書換え方法において、表示画面へのタップ操作によりページめくりモードに設定する過程、該ページめくりモードに設定しているときに、前記表示画面の表示領域の画面端部からの位置を、前記表示画面にタッチした状態でスライドさせるスライド操作で指定することで書換え範囲を指定する過程、および、指定した書換え範囲で表示画面の書換えを行う過程、を含むことを特徴とする。
【発明の効果】
【００１１】
本発明によれば、タップ操作によって書換え範囲を狭く指定し、指定した書換え範囲についてスキャンによる書換えを行うことで書換えを高速に行うことができるため、ページ検索を効率的に行うことができる。
【００１２】
また本発明によれば、狭く指定した書換え範囲をタップ操作によって広く指定しなおすことができるため、検索したページについてその内容を掘り下げたい場合に柔軟に対応することができる。
【図面の簡単な説明】
【００１３】
【図１】本発明の実施形態に係る表示装置の構成を示すブロック図である。
【図２】本発明の実施形態に係る表示装置の筐体外観（正面）を示す図である。
【図３】本発明の実施形態に係る表示装置の表示制御動作を説明するためのフローチャートである。
【図４】本発明の実施形態に係る表示装置の入力制御動作を説明するためのフローチャートである。
【図５】本発明の実施形態に係る表示装置の制御動作で参照される動作情報および動作定義ファイルのデータ構造を示す図である。
【図６】書換え範囲変更に伴うオプションが行使されたときの遷移例を示す図である。
【発明を実施するための形態】
【００１４】
以下、本発明の実施の形態について、詳細に説明する。
図１は、本発明の実施形態に係る表示装置の構成を示すブロック図である。図１においてＬＣＤ表示器（液晶表示デバイス（例えば電子ペーパー））10はタッチパネル機能を備えており、ユーザーがＬＣＤ表示器10に対してタップ等の操作を行って入力を行うことができる。表示制御部12は、データメモリ40内に格納された表示に関する動作情報（図５参照）、表示データに従い、画面表示を行う。入力制御部14は、ユーザーによるＬＣＤ表示器10への入力操作を受け付け、それを表示制御部12に伝えて、入力内容を表示させるよう指示する。ＣＰＵ20は、プログラムメモリ30に格納されたプログラムおよびデータメモリ40に格納された動作定義ファイル、動作情報などに基づいて表示装置の全体を制御する。プログラムメモリ30にはＯＳを含め、表示制御や入出力制御に係るプログラムが格納される。またデータメモリ40は、図５に示す動作情報及び動作定義ファイルや表示データなど、各種設定データおよび各種ワーク情報等を保存する。上位機器通信制御部50は、ＣＰＵ20が上位機器接続インタフェース(I/F)60を介して上位機器と連携する際に通信制御を行うもので、例えばＬＣＤ表示器10（例えば電子ペーパー）を表示させるために、所定のサイトにアクセスして電子ペーパーをダウンロードしてデータメモリ40に格納する際などに用いられる。バス16はＣＰＵ20、表示制御部12、入力制御部14、プログラムメモリ30、データメモリ40および上位機器通信制御部50を接続してデータを送受信する伝送路を提供する。
【００１５】
図２は、本発明の実施形態に係る表示装置の筐体外観（正面）を示す図である。図２に示した本発明の実施形態に係る表示装置は、タッチパネル機能付きのＬＣＤ（液晶表示デバイス（例えば電子ペーパー））10に各種情報を表示可能とするものである。また表示装置の筐体１の下部には、カーソルキー及び決定キー２や各種操作スイッチ３が示されている。各種操作スイッチ３の操作については関連する箇所においてさらに説明する。
【００１６】
図３は、本発明の実施形態に係る表示装置の表示制御動作を説明するためのフローチャートである。なお、フローチャートにおけるステップを“S”と略記する。図３において、まずデータメモリ40に置かれた動作定義ファイル(図５参照)を読み込む（ステップS21）。次いで、同じくデータメモリ40に置かれた表示データを読み込む（ステップS22）。そして初期ページを表示する（ステップS23）。
【００１７】
次に表示された初期ページにおける表示モードを確認する（ステップS24）。表示モードでページめくりモードが設定されていた場合には、ステップS25に進み、ページめくり方向の確認を行う。確認の結果、ページめくり方向が順方向である場合には、最終ページかを判断する（ステップS26）。最終ページでない（ステップS26：No）なら、次ページ表示を実行（ステップS27）し、最終ページである（ステップS26：Yes）なら、ステップS27,S28をスキップして、ステップS24に戻る（若しくは、処理を終了する）。ステップS28においては、ＬＣＤ表示器10に表示された電子ペーパーに対し書換え範囲での書換え指示を行う。この場合、書換え範囲によりスキャン回数の指示指定(オプション)を行う。すなわち、書換え範囲が狭いときは１回のスキャン回数で、また書換え範囲が広くなるにつれてスキャン回数を増やして変動させる。これについては後述する。そして、ステップS24に戻る（若しくは、処理を終了する）。
【００１８】
上記ステップS25におけるページめくり方向の確認で逆方向である場合には、先頭ページかを判断する（ステップS29）。先頭ページでない（ステップS29：No）なら、前ページ表示を実行（ステップS30）し、先頭ページである（ステップS29：Yes）なら、ステップS30,S28をスキップして、ステップS24に戻る（若しくは、処理を終了する）。ステップS28においては、上述したようにＬＣＤ表示器10に表示された電子ペーパーに対し書換え範囲での書換え指示を行う。そして、ステップS24に戻る（若しくは、処理を終了する）。
【００１９】
また上記ステップS24における表示モードの確認でページめくりモード以外が設定されていた場合には、ステップS31に進み、ページめくり以外の処理、例えば１ページ遷移を行う。
【００２０】
なおページめくりモードへの遷移は、図４に示すように、ＬＣＤ表示器10の画面をダブルタップ操作した場合に遷移する。またシングルタップ操作した場合には通常モードに遷移する。
【００２１】
図４は、本発明の実施形態に係る表示装置の入力制御動作を説明するためのフローチャートである。なお、フローチャートにおけるステップを“S”と略記する。図４において、まずデータメモリ40に置かれた動作定義ファイル(図５参照)を読み込む（ステップS41）。次いで、入力制御部14がＬＣＤ表示器10への入力を受付けてその内容を判断する（ステップS42）。入力制御部14がＬＣＤ表示器10への入力受付で画面へのダブルタップを検出した場合にはページめくりの指示であると判断して、表示モードをページめくりモードに設定する（ステップS43）。次いでページめくり方向を確認する（ステップS44）。順方向なら、ページめくり方向を順方向に遷移させる（ステップS45）。一方、逆方向なら、ページめくり方向を逆方向に遷移させる（ステップS46）。
【００２２】
入力制御部14がＬＣＤ表示器10への入力受付で画面へのシングルタップを検出した場合にはページめくりの停止指示であると判断して、ページめくりモードを停止し、通常モードにする（ステップS47）。次いで書換え範囲を動作定義ファイル（図５参照）で定義する最大値に設定する（ステップS48）。
【００２３】
次に、入力制御部14がＬＣＤ表示器10への入力受付で画面に表示されている書換え範囲についてスライド操作がなされた場合には書換え範囲の変更指示であると判断して、動作定義ファイル（図５参照）にて定義されている書換え範囲との比較を行う（ステップS49）。比較の結果、スライド操作で変更した現在の書換え範囲が動作定義ファイルの書換え範囲の範囲内であれば、ステップS50に進み、スライド操作で変更した現在の書換え範囲を指定値に設定して処理を終了する。また比較の結果、スライド操作で変更した現在の書換え範囲が動作定義ファイルの書換え範囲の範囲外であれば、ステップS51に進み、書換え範囲を動作定義ファイルで定義する最大値に設定して処理を終了する。
【００２４】
また、入力制御部14がＬＣＤ表示器10への入力受付で表示装置の筐体１の正面下部に設けられた各種操作スイッチ３中のそれ用に割り当てられた一つ（図２参照）が操作された場合には、その他の指示であると判断して、ページめくりモード以外の処理、例えば１ページ遷移、を行って、処理を終了する（ステップS52）。
【００２５】
図５は、本発明の実施形態に係る表示装置の制御動作で参照される動作情報および動作定義ファイルのデータ構造を示す図である。動作情報は、画面表示時の動作内容を表すもので、ユーザーからの入力指示を表示制御部12に伝えるのに利用される。そして動作情報の内容は、図５の（ａ）に示すように、１．通常モードまたはページめくりモードのために表示モードが定義されている。次にページめくりモードにより動作しているとき、２．順方向または逆方向（ページめくりモード動作中のみ）への動作のためにページめくり方向が定義されている。さらに、書換え範囲は、３．画面端からの書換え範囲であることが定義されている。なお画面端は表示するコンテンツの内容にも依るが、画面表示域の左右端、上下端のいずれもその基点となり得る。本例では画面表示域の左端を基点にする場合が想定されている。
【００２６】
次に、動作定義ファイルは、表示制御部、入力制御部の各制御動作を定義するもので、動作定義ファイルの内容は、図５の（ｂ）に示すように、１．書換え範囲には、初期書換え範囲が定義される。因みに、迅速にページ検索を行う観点から初期書換え範囲として全画面表示域とせず画面表示域の１／３程度が望ましい。具体的な指定例としては、画面表示域の左端を基点に画面表示域の30％や、画面表示域の左端下部を基点にして画素(ピクセル)値で指定、例えば256画素(ピクセル)で指定することができる。なお、初期書換え範囲は表示するコンテンツの内容によって任意に指定することができるが、初期書換え範囲、例えば座標256画素(ピクセル)内であれば、上述のスライド操作によって書換え範囲を自由に（広くしたり又は狭くしたりに）変更できるようにされている。
【００２７】
次に、書換え範囲変更に伴うオプション動作について説明すると、本発明においては、以下のような書換え範囲変更に応じてスキャン回数の変動させるオプション動作を行うことも可能である。各回数に応じた書換え範囲は動作定義ファイルにて指定する。定義の一例を以下に示す。
２．１回スキャン範囲        ：１回スキャンを行う書換え範囲
（書換え範囲が座標0 - 70画素の間は１回スキャン）
３．２回スキャン範囲        ：２回スキャンを行う書換え範囲
（書換え範囲が座標71 - 256画素の間は２回スキャン）
４．３回スキャン範囲        ：３回スキャンを行う書換え範囲
（書換え範囲が座標257 - 768画素の間は３回スキャン）
【００２８】
通常、電子ペーパーは数回（例えば３回）スキャンすることで書換えを行っている。これは、電子ペーパーに使用されるコレステリックの特性によるもので、１回のスキャンではコントラストが十分に得られないため、十分なコントラストを得るためには数回のスキャンを必要とされている。しかし、ページめくり時のスキャンに関しては、必ずしも十分なコントラストを必要としないため、ページめくりの書換え範囲においては、およその表示内容を理解するだけで十分で、スキャン回数を必要に応じて通常の書換えに要するスキャン回数よりも減らし、画面の書換えにかかる時間を短縮することが可能となる。
図６は、書換え範囲変更に伴うオプションが行使されたときの遷移例を示す図である。すなわち、図６の（ａ）は、１回スキャン範囲（範囲を矢印で表示）を示すものであり、参考のため初期書換え範囲を破線にて示している。そして初期書換え範囲内であれば上述したように、スライド操作によって書換え範囲を自由に（広くしたり又は狭くしたりに）変更可能である。図６の（ｂ）は、２回スキャン範囲（範囲を矢印で表示）を示すものであり、この２回スキャン範囲による書換え範囲と動作定義ファイルに定義する初期書換え範囲（図中破線参照）とがほぼ重なるようにされている。同様にして、３回スキャン範囲を示すことも可能であるが、３回スキャンによる書換え範囲については図示省略している。なお、３回スキャン範囲の場合には、図示矢印で示される１回のスキャン範囲の幅が図示例よりも狭く設定されるか又は図示例の初期書換え範囲（図中破線参照）がこれよりも広く設定され３回スキャン範囲を可能とする初期書換え範囲が設定されていることが前提となることは云うまでもない。また上記においては、書換え範囲を縦向きに設定した例について説明しているが、表示内容を横長にして表示する表示装置にあっては、書換え範囲を横向きに設定するのは当然である。
【符号の説明】
【００２９】
１  筐体
２  カーソルキー及び決定キー
３  各種操作スイッチ
10  ＬＣＤ表示器(タッチパネル機能付き)
12  表示制御部
14  入力制御部
16  バス(ＢＵＳ)
20  ＣＰＵ(中央制御ユニット)
30  プログラムメモリ
40  データメモリ
50  上位機器通信制御部
60  上位機器接続インタフェース(I/F)
【図１】
2011192065.tif 000003
【図２】
2011192065.tif 000004
【図３】
2011192065.tif 000005
【図４】
2011192065.tif 000006
【図５】
2011192065.tif 000007
【図６】
2011192065.tif 000008